【手続補正書】
【提出日】平成28年8月3日(2016.8.3)
【手続補正１】
【補正対象書類名】明細書
【補正対象項目名】０００６
【補正方法】変更
【補正の内容】
【０００６】
上記課題を解決するため、本発明に係る情報通信装置は、
各部に電源を供給する蓄電池の蓄電残量を検出する検出手段と、通信回線を介して接続された外部装置と通信可能な通信手段と、前記外部装置により取得された第１の情報を前記通信手段を介して取得する第１情報取得手段と、前記外部装置の蓄電池の蓄電残量を前記通信手段により取得する残量取得手段と、前記通信手段を介さずに第２の情報を取得する第２情報取得手段と、前記残量取得手段により取得された前記外部装置の蓄電池の蓄電残量と前記検出手段により検出された蓄電池の蓄電残量とを比較する比較手段と、前記比較手段による比較結果に基づいて、前記第１情報取得手段による前記第１の情報の取得と、前記第２情報取得手段による前記第２の情報の取得とを切り替えて実行するように制御する制御手段と、を備えたことを特徴としている。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】特許請求の範囲
【補正対象項目名】全文
【補正方法】変更
【補正の内容】
【特許請求の範囲】
【請求項１】
各部に電源を供給する蓄電池の蓄電残量を検出する検出手段と、
通信回線を介して接続された外部装置と通信可能な通信手段と、
前記外部装置により取得された第１の情報を前記通信手段を介して取得する第１情報取得手段と、
前記外部装置の蓄電池の蓄電残量を前記通信手段により取得する残量取得手段と、
前記通信手段を介さずに第２の情報を取得する第２情報取得手段と、
前記残量取得手段により取得された前記外部装置の蓄電池の蓄電残量と前記検出手段により検出された蓄電池の蓄電残量とを比較する比較手段と、
前記比較手段による比較結果に基づいて、前記第１情報取得手段による前記第１の情報の取得と、前記第２情報取得手段による前記第２の情報の取得とを切り替えて実行するように制御する制御手段と、
を備えたことを特徴とする情報通信装置。
【請求項２】
前記制御手段は、更に、
前記第１情報取得手段が前記第１の情報を取得する場合、前記通信手段から前記外部装置に対して前記第１の情報の取得を要求する指示を送信させることを特徴とする請求項１に記載の情報通信装置。
【請求項３】
前記制御手段は、更に、
前記第２情報取得手段が前記第２の情報を取得する場合、前記通信手段から前記外部装置に対して前記第１の情報の取得停止を要求する指示を送信させることを特徴とする請求項１または２に記載の情報通信装置。
【請求項４】
測位衛星から送信された信号を逐次受信する受信手段を更に備え、
前記第２情報取得手段は、
前記受信手段により受信された信号に基づいて当該装置本体の存する現在位置を逐次測位し、当該装置本体の変位を表す位置情報を前記第２の情報として取得することを特徴とする請求項１〜３の何れか一項に記載の情報通信装置。
【請求項５】
所定の軸方向の加速度を検出する加速度センサを更に備え、
前記第２情報取得手段は、
前記加速度センサにより検出された加速度に基づいて当該装置本体の移動量及び移動速度を検出し、当該装置本体の変位を表す移動情報を前記第２の情報として取得することを特徴とする請求項１〜４の何れか一項に記載の情報通信装置。
【請求項６】
第１の通信回線を介して接続された外部機器と通信可能な第１通信手段と、
第２の通信回線を介して接続された外部の情報通信装置と通信可能な第２通信手段と、
各部に電源を供給する蓄電池の蓄電残量を検出する検出手段と、
前記外部の情報通信装置の蓄電池の蓄電残量を前記第２通信手段により取得する残量取得手段と、
前記残量取得手段により取得された前記外部の情報通信装置の蓄電池の蓄電残量と、前記検出手段により検出された蓄電池の蓄電残量とを比較する比較手段と、
前記比較手段による比較結果に基づいて、前記第１通信手段と前記外部機器とを接続させることなく前記外部機器から送信される各種情報を前記外部の情報通信装置を介して前記第２通信手段により取得させる処理と、前記第１通信手段と前記外部機器とを接続させて前記外部機器から送信される各種情報を前記第１通信手段により取得させる処理とを切り替えて実行するように制御する制御手段と、
を備えたことを特徴とする情報通信装置。
【請求項７】
前記制御手段は、更に、
前記比較手段による比較の結果、前記外部の情報通信装置の蓄電池の蓄電残量が多い場合、前記第２通信手段から前記外部の情報通信装置に対して前記外部機器との接続を要求する指示を送信させる一方で、前記外部の情報通信装置の蓄電池の蓄電残量が多くない場合、前記第２通信手段から前記外部の情報通信装置に対して前記外部機器と接続しないことを要求する指示を送信させることを特徴とする請求項６に記載の情報通信装置。
【請求項８】
前記制御手段は、更に、
前記比較手段による比較の結果、前記外部の情報通信装置の蓄電池の蓄電残量が多くない場合、前記第１通信手段から前記外部機器に対して前記各種情報を当該装置本体からの出力態様に応じた形式に変換させるための指示を送信させ、前記外部機器から送信される当該装置本体からの出力態様に応じた形式に変換させた前記各種情報を前記第１通信手段により取得させることを特徴とする請求項６又は７に記載の情報通信装置。
【請求項９】
第１の情報通信装置と第２の情報通信装置とが通信回線を介して接続された情報通信システムであって、
前記第１の情報通信装置は、
第１の情報を取得する第１情報取得手段と、
各部に電源を供給する蓄電池の蓄電残量を検出する検出手段と、を備え、
前記第２の情報通信装置は、
通信回線を介して接続された前記第１の情報通信装置と通信可能な通信手段と、
前記第１の情報通信装置の検出手段により検出された蓄電池の蓄電残量を前記通信手段により取得する残量取得手段と、
第２の情報を取得する第２情報取得手段と、
各部に電源を供給する蓄電池の蓄電残量を検出する検出手段と、
前記残量取得手段により取得された前記第１の情報通信装置の蓄電池の蓄電残量と当該第２の情報通信装置の検出手段により検出された蓄電池の蓄電残量とを比較する比較手段と、
前記比較手段による比較結果に基づいて、前記第１情報取得手段により取得された前記第１の情報を前記通信手段を介して取得させる処理と、前記第２情報取得手段により前記第２の情報を取得させる処理とを切り替えて実行するように制御する制御手段と、
を備えたことを特徴とする情報通信システム。
【請求項１０】
第１の情報通信装置と第２の情報通信装置とが通信回線を介して接続された情報通信システムであって、
前記第１の情報通信装置は、
各部に電源を供給する蓄電池の蓄電残量を検出する検出手段を備え、
前記第２の情報通信装置は、
第１の通信回線を介して接続された外部機器と通信可能な第１通信手段と、
第２の通信回線を介して接続された第１の情報通信装置と通信可能な第２通信手段と、
各部に電源を供給する蓄電池の蓄電残量を検出する検出手段と、
前記第１の情報通信装置の蓄電池の蓄電残量を前記第２通信手段により取得する残量取得手段と、
前記残量取得手段により取得された前記第１の情報通信装置の蓄電池の蓄電残量と、前記検出手段により検出された蓄電池の蓄電残量とを比較する比較手段と、
前記比較手段による比較結果に基づいて、前記第１通信手段と前記外部機器とを接続させることなく前記外部機器から送信される各種情報を前記第１の情報通信装置を介して前記第２通信手段により取得させる処理と、前記第１通信手段と前記外部機器とを接続させて前記外部機器から送信される各種情報を前記第１通信手段により取得させる処理とを切り替えて実行するように制御する制御手段と、
を備えたことを特徴とする情報通信システム。
【請求項１１】
通信回線を介して接続された外部装置と通信可能な通信手段を備える情報通信装置のコンピュータを、
各部に電源を供給する蓄電池の蓄電残量を検出する検出手段、
前記外部装置により取得された第１の情報を前記通信手段を介して取得する第１情報取得手段、
前記外部装置の蓄電池の蓄電残量を前記通信手段により取得する残量取得手段、
前記通信手段を介さずに第２の情報を取得する第２情報取得手段、
前記残量取得手段により取得された前記外部装置の蓄電池の蓄電残量と前記検出手段により検出された蓄電池の蓄電残量とを比較する比較手段、
前記比較手段による比較結果に基づいて、前記第１情報取得手段による前記第１の情報の取得と、前記第２情報取得手段による前記第２の情報の取得とを切り替えて実行するように制御する制御手段、
として機能させることを特徴とするプログラム。
【請求項１２】
第１の通信回線を介して接続された外部機器と通信可能な第１通信手段と、第２の通信回線を介して接続された外部装置と通信可能な第２通信手段と、を備える情報通信装置のコンピュータを、
各部に電源を供給する蓄電池の蓄電残量を検出する検出手段、
前記外部装置の蓄電池の蓄電残量を前記第２通信手段により取得する残量取得手段、
前記残量取得手段により取得された前記外部装置の蓄電池の蓄電残量と、前記検出手段により検出された蓄電池の蓄電残量とを比較する比較手段、
前記比較手段による比較結果に基づいて、前記第１通信手段と前記外部機器とを接続させることなく前記外部機器から送信される各種情報を前記外部装置を介して前記第２通信手段により取得させる処理と、前記第１通信手段と前記外部機器とを接続させて前記外部機器から送信される各種情報を前記第１通信手段により取得させる処理とを切り替えて実行するように制御する制御手段、
として機能させることを特徴とするプログラム。